(57)【要約】【課題】食品等用の包装袋や果物等用のネットなどの包装体の袋口部を結束する結束具が、これまで多数知られているが、いずれも結束力が不十分であったり、結束の保持を長時間維持させることに問題を有していた。【解決手段】本発明は、差込体の脚部に係合用手段（鋸歯状突起群）を設け、この脚部を圧入する保持体には係止手段（鋭角の係止部）を設けることで、長時間の確実な結束を実現させる。それとともに、保持体受け部の前端部に対応して差込体脚部間に曲面部と突起条を設けることで、結束時にこれら前端部と曲面部、突起条とが協動することで、包装体袋口部を効率よく結束用隙間に回り込ませ、かつ突起条による圧縮効果を利用して結束を効率的、確実に行わせる。【選択図】図３
2012096843.tif 000002
【特許請求の範囲】
【請求項１】
一対の脚部を有する差込体とこの差込体の脚部を圧入する一対の穴を有する保持体とから成るもので、差込体では、両脚部の間を内側に凹んだ円弧状の曲面部とし、この曲面部よりも外側に突出させた突起条をこの曲面部上に設けるとともに、両脚部の一部に係合用突起群を備え、かつ両脚部の基部の曲面部側に連なる部分を湾曲させた湾曲部とする構成とし、保持体では中央に受け部、両隅に係合壁を設け、この受け部は前記曲面部と突起条とに対面する前端部を設けるとともに、その側面に穴の一側面となる側面部を形成し、係合壁は、穴の内側に向けた先端に前記係合用突起群と係止する係止部を設けた可動部を、脚部圧入時にその脚部の圧力に応じて撓む機能を有するものとし、かつこの係合壁の基部から係止部までを穴の他側面とする構成とした結束具
【請求項２】
脚部の一部に備えた係合用突起群については、傾斜部とこれに続く垂直部から成る鋸歯状突起を連続形成した鋸歯状突起群とし、受け部の側面部に対する穴の他側面となる係合壁の可動部は、その背後位置に半円状の窪み部を有するとともに、その先端には脚部の穴圧入時にその脚部の係合用突起群に対抗する部位となる位置に鋭角の係止部を設けた請求項１の結束具
【請求項３】
一対の脚部の間に形成した曲面部に設けた突起条は、その先端部を、中央部分では僅か内側に位置するものの他は直線に近い線上に位置するように形成した請求項１または２の結束具
【発明の詳細な説明】
【技術分野】
【０００１】
本発明は、食品等を収容する包装袋や果物等を収容するネットなどの包装体の開放端部（袋口部）を閉じるために使用する合成樹脂製の結束具に関するものである。
【背景技術】
【０００２】
従来から、包装袋またはネットなどの包装体を結束する結束具としてU字状をしたステープルのみから成り、これを包装体に巻きつけることで結束するものが知られている（特許文献１参照）。
しかし、この結束具はステープルのみによって結束するものであるため、構造的に強固な結束力を得るのは困難であった。
【０００３】
また、別タイプの結束具として本体に脚部を設けた概略U字状のステープルと、このU字状の脚部を固定する受け部とを組み合わせた２部材からなる結束具が使用されている（特許文献２参照）。しかし、この結束具は結束具の生命ともいうべき強固な結束力保持について、未だ十分とはいえないものであった。
【０００４】
そのため後者結束具においては、脚部先端に楔を打ち込んだり、先端を太くさせた脚部を受け具の孔に圧入させたり、圧入した脚部と受け具の孔とを熔着させるなどして、結束力保持の強化を図っている。
【先行技術文献】
【特許文献】
【０００５】
【特許文献１】特開２００２−２９３３６４号公報
【特許文献２】特開２００４−２６２８９号公報
【発明の概要】
【発明が解決しようとする課題】
【０００６】
しかし上記従来例によっても、食べ物などの包装袋や果物用ネットなどの包装体について、その開放端部（袋口部）の結束を、長時間確実に保ち続けるのには十分とはいえないものであった。
【０００７】
すなわち、結束後の包装体などが種々の利用により乱暴に取り扱われる場合には、結束具に予期しないほどの負荷がかかり、結束が緩む場合もあることを考慮しておかなければならない。しかし、そのような事情下において十分な結束を維持できるといえるか不安を感じさせるものであった。
【課題を解決するための手段】
【０００８】
本発明はこれらの課題を解決したもので、包装体などの被結束物に対する結束を確実にするとともに、差込体と保持体との結合を強固にして、結束の維持を確実にしたことを特徴とするもので、以下に記した請求項１から請求項３により本発明を提案する。
【０００９】
請求項１によれば、一対の脚部を有する差込体とこの差込体の脚部を圧入する一対の穴を有する保持体とから成るもので、差込体では、両脚部の間を内側に凹んだ円弧状の曲面部とし、この曲面部よりも外側に突出させた突起条をこの曲面部上に設けるとともに、両脚部の一部に係合用突起群を備え、かつ両脚部の基部の曲面部側に連なる部分を湾曲させた湾曲部とする構成とし、保持体では中央に受け部、両隅に係合壁を設け、この受け部は前記曲面部と突起条とに対面する前端部を設けるとともに、その側面に穴の一側面となる側面部を形成し、係合壁は、穴の内側に向けた先端に前記係合用突起群と係止する係止部を設けた可動部を、脚部圧入時にその脚部の圧力に応じて撓む機能を有するものとし、かつこの係合壁の基部から係止部までを穴の他側面とする構成とした結束具
【００１０】
この請求項１によれば、差込体の一対の脚部の間に円弧状の曲面部、突起条を設け、脚部の基部に設けた湾曲部を前記曲面部に連接させたので、包装体の袋口部が押し込まれて回り込むように結束位置（差込体の曲面部、突起条と保持体受け部の前端部との間の隙間）に効率良く送りこまれ、かつ受け体の前端部と曲面部に設けた突起条の隙間で包装体袋口部が強く圧縮、密閉されるため、袋口部の結束が効率的、確実に行われる。
【００１１】
また係合用突起群を備えた差込部の脚部を圧入する側の保持体の穴に、面壁としてこの圧入の支障とならないよう撓み機能を有する可動部を配し、しかもこの可動部には差込体脚部の係合用突起群の突起に係止する係止部を設けているため、脚部の圧入時にその圧入の動きに対する抵抗が殆どなく円滑に圧入ができるとともに、穴に圧入された脚部（差込体）が確実に保持され、抜けるということがない。
【００１２】
請求項２によれば、上記請求項１における結束具において、脚部の一部に備えた係合用突起群については、傾斜部とこれに続く垂直部から成る鋸歯状突起を連続形成した鋸歯状突起群とし、受け部の側面部に対する穴の他側面となる係合壁の可動部は、その背後位置に半円状の窪み部を有するとともに、その先端には脚部の穴圧入時にその脚部の係合用突起群に対抗する部位となる位置に鋭角の係止部を設けたものである。
【００１３】
この請求項２によれば、脚部に備えた係合用突起群を、傾斜部とこれに続く垂直部とから成る鋸歯状の突起を連続形成した鋸歯状突起群としたため、鋸歯状突起が複数段に亘って設けられことになり、差込体の保持体への結束がより確実に行われる。また、各突起が傾斜部と垂直部とから成る鋸歯状であることから、係止部との係止が容易、確実に行われるものである。
【００１４】
また、受け部の側面部に対する穴の他側面を形成する可動部先端の脚部に形成した鋸歯状突起群に対抗する鋭角の係止部を、係止するための手段としたことから、脚部（差込体）の圧入による係止状態（結束）をより確実なものにすることができる。また可動部の背後位置に半円状の窪み部が形成されるため、可動部の撓み機能を高いものにすることができる。
【００１５】
請求項３によれば、請求項１または２の結束具において、一対の脚部の間に形成した曲面部に設けた突起条は、その先端部を、中央部分では僅か内側に位置するものの他は直線に近い線上に位置するように形成したものである。
【００１６】
この請求項３によれば、曲面部に設けた突起条の先端が、中央部分では僅か内側に入るものの他の部分はほぼ一直線となる形状としたため、結束時には、対応する保持体受け部の前端部との隙間をより小さなものにすることができ、曲面部や脚部の基部に形成した湾曲部などとの協動作用で前記隙間に押し込まれた包装体の袋口を強く圧縮、密閉して、この隙間中の包装体袋口部の結束を確実なものにすることができる。
【発明の効果】
【００１７】
以上のことから本発明によれば、差込体の脚部を圧入する穴の係合壁の可動板が撓み機能を有しているため、圧入に対してほとんど抵抗がなくスムーズに脚部を差し込むことができる。また圧入後（結束後）も係合用の鋸歯状突起群の突起と保持体可動部の係止部との係止によって差込体と保持体の結束が確実に保持される。
【００１８】
また、結束時に保持体受け部の前端部と対応する、差込体脚部の間に形成した円弧上の曲面部に、これよりも外側に突出する突起条を設け、この曲面部を脚部の基部に形成した湾曲部に連なるように設ける構成であるため、これら前端部、曲面部、突起条とで作られる隙間が結束状態の進行に応じて狭窄されていく過程で、包装袋の袋口部が、回り込むようにして隙間に押し込められ、さらに突起条の押圧を受けて圧縮、密閉されることから、緊密な結束を実現することができる。
【図面の簡単な説明】
【００１９】
【図１】本発明結束具の実施態様を構成する差込体の図面で、（A）は斜視図、（B）は正面図、（C）は平面図、（D）は右側面図、（E）は（B）のX−X線断面図
【図２】本発明結束具の実施態様を構成する保持体の図面で、（A）は斜視図、（B）は正面図、（C）は右側面図、（D）は（B）のY−Y線断面図
【図３】図１で示した差込体の脚部を、図２で示した保持体の穴に差し込んで包装体の袋口部を結束した状態を示す説明図で、（A）は差込体脚部の係合用突起群と保持体可動部の係止部との係止状態および、包装体の袋口部を差込体の突起条と保持体受け部の先端部との隙間で結束した状態を示す横断面図、（B）は差込体脚部の突起条と保持体受け部の前端部との隙間における結束状態を拡大して示す縦断面図
【発明を実施するための形態】
【００２０】
本発明は、一対の脚部を有する差込体と、この差込体の脚部を圧入する一対の穴を有する保持体とを備え、特に結束時に包装体袋口部の結束（挟持）を確実に行うことと脚部の抜け防止とを目的としたものである。
以下図面により本発明結束具の実施形態を説明する。
結束具１は、図１の（A）から（E）で示した合成樹脂製の差込体２と、図２の（A）から（D）で示した合成樹脂製の保持体３とから構成し、包装体の袋口部２９を結束したときの状態は図３の（A）、（B）で、また結束の具体例を図４の（A）、（B）で示す。
【００２１】
図１の（A）は差込体２の斜視図であり、概略して半円状の外周部分６と直立面部分７とから成り、総体形状が僅かな厚みのある略半円形状をした本体４と、この本体４の直立面部分７から突出するとともに鋸歯状の4個の突起８群を形成した一対の脚部５および、この脚部５の間に位置し（上下方向から見た）中央に突起条１０を設けた曲面部９とから構成するもので、これらの構成部材は全て一体に形成される。
【００２２】
図１の（B）から（E）は差込体２の正面図、平面図、右側面図および、（B）における差込体２のX−X線断面図であり、前記脚部５、係合用手段である突起８群、曲面部９、突起条１０、などについてこれらの図面により説明する。なお図示していないが、左側面図は（D）の右側面図と同一である。
【００２３】
脚部５は外側の面に係合用手段として4個の鋸歯状の突起８群を形成し他の三面は平らな面とした棒状体形状で、曲面部９を挟んで2本を直立面部分７から突出して形成する。鋸歯状の突起８群の個々の突起８は、前側を傾斜部１１とし、この傾斜部１１に続く後側を垂直部１２としたもので、これを4個連続して配列形成したものである。（この突起８群については、結束具１の大きさや、特に結束する包装体の大きさ、厚さに応じて、突起８の個数を変えて作成する）
【００２４】
この脚部５の上下の厚さは本体４の厚さより僅か薄く作成した棒状体形状であるが、直立面部分７に繋がる基部１３の内側には結束時に包装体の袋口部２９が曲面部９、突起条１０に移動しやすいように湾曲部１４を形成する。
【００２５】
一対の脚部５の間は突起条１０を設けた内側に凹んだ円弧上の曲面部９が形成され、この突起条１０は、（C）、（E）で示しているように、曲面部９の上下からみた中央位置に、その曲面部９の湾曲カーブよりも小さなカーブ（ほぼ直線に近い曲線）にし、外側に突出させた断面略三角形状の突起の筋で、曲面部９上の周面全体に亘って形成する。（この突起条１０の断面形状は、この（E）で示した略三角形状のみでなく、後記するように保持体３の受け部１９の前端部２１との間で、包装体の袋口部２９を強く圧縮、密閉できる形状であれば良い）
【００２６】
突起条１０の先端突条部分は、中央部分が僅か内側に位置するものの、他は脚部５の外側の前記直立面部分７の延長線とほぼ同一面上（直線に近い線上）に位置し、その両端部は、曲面部９の両端が脚部５の基部１３に形成した湾曲部１４に接続する直前の位置まで設ける。
【００２７】
すなわち、突起条１０はその先端を曲面部９の湾曲カーブより前側に突出した位置で緩やかな湾曲カーブを形成し、両端部を曲面部９の両端近傍（脚部５の基部１３の湾曲部１４に接続する位置の直前）まで設けているため、包装体の袋口部２９の結束時には、脚部５の湾曲部１４および曲面部９の形状に応じて押し込まれ、送りこまれてきた被結束体である包装体の袋口部２９を、保持体３の後記前端部２１との間でこの三角形状の突起を利用して強く圧縮、密閉し、確実な結束（挟持）を可能にすることができる。
【００２８】
なお差込体２の上面、下面には、脚部５の軸線に平行な直線溝１５が設けられているが、これは結束具１を自働結束装置に取り付け使用する場合に、差込体２を保持体３側に後方から移動させる結束装置の駆動具（図示せず）を取り付けるためのものである。
【００２９】
図２の（A）は保持体３の斜視図であり、概略して半円状の外周部分１６と直立面部分１７とから成り、総体形状が僅かな厚みのある略半円形状をしていて、中央部に受け部１９を、および両隅に係合壁２０をそれぞれ一体に形成する。そしてこの受け部１９と係合壁２０により一対の穴１８を形成している。
【００３０】
図２の（B）から（D）は、保持体３の正面図、右側面図、（B）における保持体３のY−Y線断面図であり、これらの図面により、保持体３の受け部１９と係合壁２０、係止手段である係止部２５、穴１８などについて説明する。なお図示していないが、左側面図は（C）の右側面図と同一である。
【００３１】
受け部１９は、保持体３の中央位置に設けられ、垂直面とした前端部２１を直立面部分１７から僅か内方に位置させ、前端部２１の両側の側面部２２は、ほぼ直線に近い僅かな湾曲面で外周部分１６まで延長させたものである。すなわち、受け部１９は前端部２１を前側に位置させ、その両側に後方に向けて形成した側面部２２を一対の穴１８の内側の面としている。
【００３２】
また穴１８の他方側で受け部１７の側面部２２に対応する面は、以下に記述する係合壁２０である。したがって差込体２の脚部５を穴１８に圧入したとき、脚部５の内側に当接するのは受け部１９の側面部２２であり、外側に設けた突起８群が当接するのは保持体３の両隅に設けた係合壁２０となる。
【００３３】
係合壁２０については受け部１９とともに（D）の断面図で示しているが、保持体３の直立面部分１７の両隅部に位置させた基部２３と、この基部２３から先端を、穴１８の内側、すなわち受け部１９の側面部２２側に向けて延ばし、かつその先端に、脚部５の係合用鋸歯状突起８を係止する係止手段である係止部２５を形成した可動部２４と、可動部２４の背面位置に設けた半円状の窪み部２７を形成して成るものである。
【００３４】
そして係合壁２０の基部２３から先端の係止部２５までが、受け部１７の側面部２２に対応した脚部５圧入用穴１８の他方側の面となる。
【００３５】
係合壁２０の基部２３は直立面部分１７の隅から外周部分１６の近くまで占めるもので、その直立面部分１７側から可動部２４が受け部１８の側面部２２側に向けて立ち上がっている構成で、係止部２５はその先端に設けられ、側面部２２側すなわち穴１８の内側を向いて設けられる。
【００３６】
したがって係止部２５は、穴１８の内側すなわち受け部１８の側面部２２側に面していて、可動部２４が穴１８の内側に傾いて設けられていることから、穴１８に脚部５が圧入されたときには、脚部５の鋸歯状突起８群に押圧される部位に設けられている。すなわち係止部２５が常に突起８群に当接している。
【００３７】
また可動部２４の係止部２５に隣接した部分には一定の幅を有する平面部２６を形成し、係止部２５部分に厚みを作って係止時の強度を増加させている。この平面部２６は、前記半円状窪み部２７を介して外周部分１６に連なっている。
【００３８】
可動部２４はまた、背面に設けた半円状の窪み部２７のため、堅固な基部２３とは異なり厚さが薄くなるため、脚部５が穴１８に圧入されたときに、脚部５の先端および鋸歯状突起８群の形状に応じて、（図面上では左右方向に）撓む機能を有している。
【００３９】
しかし、この可動部２４は、基部２３からの縦の断面が厚いため縦方向の圧力に対しては大きな強度があり、係止部２５に平面部２６を隣接して設けていることと相俟って、係止部２５が突起８に係止したときには、この係止状態を脱却させようとする力に十分耐えられる能力を備えている。
【００４０】
以上のように保持体３の一対の穴１８は、上面、下面を平面とし、内側の面を受け部１９の両側面部２２、外側の面を両方の係合壁２０の基部２３から可動部２４の係止部２５により形成することで、差込体２の一対の脚部５を圧入、係止固着するものである。
【００４１】
そのため差込体２と保持体３とが確実に結束し固着できるようにするため、差込体２と保持体３の結束時に、差込体２の脚部５と保持体３の穴１８とが一致できる箇所に、これら脚部５および穴１８は形成される。
【００４２】
なお保持体３の上面、下面に穴１８の軸線に平行な直線溝２８が設けられているが、これは結束具１を自働結束装置に取り付け使用する場合に、この保持体３を差込体２側に後方から移動させる自働結束装置の駆動具（図示せず）を取り付けるためのものである。
【００４３】
図３の（A）、（B）は結束具１を使用して包装体の袋口部２９を結束したときの状態を示した説明図である。（A）は差込体２の脚部５に形成した係合用突起８群と保持体３の可動部２４に設けた係止部２５との係止状態および、包装体の袋口部２９を差込体２の突起条１０と保持体３の受け部１９に設けた前端部２１との隙間で結束した状態を示す横断面図であり、（B）は差込体２の脚部５に形成した突起条１０と保持体３の受け部１９に設けた前端部２１との隙間における結束状態を拡大して示す縦断面図である。
【００４４】
図３の（A）では、差込体２と保持体３とにより包装体の袋口部２９が結束された状態を示しているが、包装体の袋口部２９は、差込体２の曲面部９に設けた突起条１０と保持体３の受け部１９に設けられた前端部２１との間の隙間に挟まれ極限までの狭窄状態となっており、包装体の内部は密封状態となっている。また、結束された差込体２と保持体３とは、差込体２の脚部５の突起８と、保持体３の係合壁２０の係止部２５とが強固な係止状態にあるため、外れるということは起きない。なお実施形態では、差込体２の脚部５に設けた係合用突起８群における２段目の突起８に、保持体３の可動部２４に設けた係止部２５が係止したときに、包装体の袋口部３０は結束が完了している。
【００４５】
なお、この図３の（A）に移る前段階では包装体の袋口部２９は、差込体２と保持体３が結束状態に移行して行く過程で、脚部５の基部１３に設けた湾曲部１４の形状に沿って、保持体３の受け部１９の前端部２１と差込体２の曲面部９、突起条１０の間に形成される隙間に回り込むようにして送りこまれ、この隙間が完全に狭窄された状態になったときに、結束が終了するものである。
【００４６】
図３の（B）では、（A）における差込体２の突起条１０と保持体３の受け部１９に形成した前端部２１との結束の状態を拡大して示しているが、包装体の袋口部２９は曲面部９から突出している突起条１０により、前端部２１に強く押圧され圧縮された状態になって結束（狭窄）されていることを示している。
【００４７】
ここで、上記した結束具１の結束の過程を説明する。
包装体の袋口部２９を、保持体３の一対の穴１８に圧入しようとする状態にある、差込体２の一対の脚部５の間に位置させ、差込体２および保持体３を押圧し脚部５を穴１８に圧入する。脚部５の圧入時には鋸歯状突起８群が、穴１８の一側面を形成する係合壁２０の係止部２５が設けられた側に向くように圧入される。
【００４８】
脚部５はその先頭位置にある１段目の突起８が、穴１８内に傾斜状態で張り出している係合壁２０の可動部２４の係止部２５を押しのけ、係止部２５の当接が次の２段目の突起８の傾斜部１１に達する。しかし、未だ差込体２の曲面部９および突起条１０と、保持体３の受け部１９の前端部２１との間には余分な隙間があり、結束状態ではない。
【００４９】
続いて、差込体２および保持体３への押圧が付加され、包装体の袋口部２９を挟んで前記突起条１０と前記前端部２１とが限りなく接近して、強力にこの袋口部２９を圧縮し、完全な狭窄状態になったときに、結束は完了し差込体２、保持体３への押圧も終了する。
【００５０】
この結束完了のときは、実施形態で示した例では、差込体２の脚部５の突起８が、保持体３の係合壁２０の係止部２５上を移動し、係止部２５が２段目の突起８の垂直部１２に係止した状態になったときに結束完了であることを示している。
【００５１】
この過程において、保持体３の係合壁２０の可動部２４は、係止部２５が脚部５の突起８群上を移動することになり、突起８の形状（傾斜部１１、垂直部１２の鋸歯状形体）に応じて左右に撓み（屈曲応動し）、脚部５の圧入の支障とはならない。また係合壁２０の可動部２４は、背後の半円状窪み部２７により基部２３より断面積が小さく、撓みが可能になっているが、脚部５の突起８に係止したときの縦方向の圧力に対しては強く、脚部５すなわち差込体２の抜け防止のための対抗力は十分有している。
【００５２】
また、差込体２と保持体３との結束過程における、包装体の袋口部２９の結束を説明する。脚部５が穴１８に圧入されていくときに、曲面部９、突起条１０、脚部５および受け部１９の前端部２１により作成される袋口部２９結束用の隙間が狭くなっていく。
【００５３】
その過程で、脚部５の基部１３に形成した湾曲部１４と、曲面部９、突起条９との湾曲カーブにより、包装袋の袋口部２９は、この隙間に無理なく回り込むようにして押し込まれる。
【００５４】
特に、突起条９の先端が中央部分で少し内側に入るものの他は直線に近いカーブであるために、この突起条９と前端部２１との間の隙間が完全に狭窄された状態になったとき、包装体の袋口部２９が一段と強く圧縮、密封された状態で結束されるものである。
【００５５】
なお上記の実施形態では、差込体２の脚部５に設けた係合用突起８の２段目に、保持体３の可動部２４に設けた係止部２５が係止する例で示したが、被結束物である包装体の種類（例えば包装体の大きさや、使用材料の厚みなど）に応じて、係止部２５を何段目の係合用突起８と係止させるようにするかは、任意に変更できるものである。また、一対の、差込体２の脚部５と保持体３の穴１８の間隔、これに関連した保持体３の受け部１９の横幅などの変更も、追加する対応選択肢として考慮することができる。
【００５６】
また図示していないが、結束具１の差込体２および保持体３には、保管用および結束装置での量産用として使用することを考慮して、通常は、その上面もしくは下面に脆弱な力で容易に取り壊しが可能な連結手段を付加して設け、これら差込体２、保持体３を重層的に連結させる。
【００５７】
以上説明してきた本発明結束具は、工場での結束のための量産用としてだけでなく、家庭などで個人が包装体の結束をするのにも使用することが可能である。
【符号の説明】
【００５８】
１    結束具
２    差込体
３    保持体
５    脚部
８    突起
９    曲面部
１０    突起条
１１    傾斜部
１２    垂直部
１４    湾曲部
１８    穴
１９    受け部
２０    係合壁
２１    前端部
２２    側面部
２３    基部
２４    可動部
２５    係止部
２７    窪み部
１９    包装体の袋口部
【図１】
2012096843.tif 000003
【図２】
2012096843.tif 000004
【図３】
2012096843.tif 000005